(57)【要約】再送回数が特定できない条件に対してデータを早急に再送させることのできる通信システムであり、移動局が、第１の物理チャネルを介して、データを送信する第１の送信部と、基地局から第２の物理チャネルを介して、復号結果を受信する第１の受信部と、復号結果に基づいて第１の制御情報を生成し、第３の物理チャネルを介して第１の制御情報を送信する第２の送信部とを有し、基地局が、データを受信する第２の受信部と、データを物理レイヤにおいて復号し、復号結果を第２の物理チャネルを介して送信する第３の送信部と、第１の制御情報を第３の物理チャネルを介して受信する第３の受信部と、を有し、第３の送信部は、第１の制御情報から再送回数を特定できない場合に、データを初回から再送させるための第２の制御情報を、第２の物理チャネルを介して移動局に送信する。
2009116474.tif 000002
【特許請求の範囲】
【請求項１】
移動局と基地局とが無線通信を行う無線通信システムであって、
前記移動局が、
第１の物理チャネルを介して、データを送信する第１の送信部と、
前記基地局から第２の物理チャネルを介して、復号結果を受信する第１の受信部と、
前記復号結果に基づいて第１の制御情報を生成し、第３の物理チャネルを介して前記第１の制御情報を送信する第２の送信部と
を有し、
前記基地局が、
前記データを受信する第２の受信部と、
前記データを物理レイヤにおいて復号し、前記復号結果を第２の物理チャネルを介して送信する第３の送信部と、
前記第１の制御情報を前記第３の物理チャネルを介して受信する第３の受信部と、
を有し、
前記第３の送信部は、
前記第１の制御情報から再送回数を特定できない場合に、前記データを初回から再送させるための第２の制御情報を、前記第２の物理チャネルを介して前記移動局に送信する、
無線通信システム。
【請求項２】
前記第１の物理チャネルは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）であり、
前記第２の物理チャネルは、Ｅ−ＨＩＣＨ（Ｅ−ＤＣＨ  Ｈｙｂｒｉｄ  ＡＲＱ  Ｉｎｄｉｃａｔｏｒ  Ｃｈａｎｎｅｌ）であり、
前記第３の物理チャネルは、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）である、
請求項１記載の無線通信システム。
【請求項３】
前記基地局は、
前記第１の制御情報に含まれるＲＳＮ（Ｒｅｔｒａｎｓｍｉｓｓｉｏｎ  Ｓｅｑｕｅｎｃｅ  Ｎｕｍｂｅｒ）＝３であり、自身が圧縮モードで動作しており、かつＴＴＩ（Ｔｒａｎｓｍｉｓｓｉｏｎ  Ｔｉｍｅ  Ｉｎｔｅｒｖａｌ）＝１０ｍｓであるという再送制御条件を満たすか否かを判断する判定部を有し、
前記再送制御条件を満たしている場合に、前記第３の送信部が前記再送制御を行う、請求項２記載の無線通信システム。
【請求項４】
前記第３の送信部が、前記再送制御条件を満たしている場合に復号処理を実施せずＡＣＫを送信する、請求項３に記載の無線通信システム。
【請求項５】
前記判定部が、前記再送制御条件を満たしている場合に前記第３の送信部に初回送信再送要求を送信させる、請求項３に記載の無線通信システム。
【請求項６】
前記第１の受信部が前記初回送信再送要求を受信した場合に、前記第１の送信部が前記第１の物理チャネルを介して前記データを初回送信から再度送信する、請求項５に記載の無線通信システム。
【請求項７】
前記基地局は、
前記復号結果に基づいてアクノレッジメントを生成するＲｘ  ＨＡＲＱ（Ｈｙｂｒｉｄ  Ａｕｔｏｍａｔｉｃ  Ｒｅｐｅａｔ  Ｒｅｑｕｅｓｔ）処理部を有し、
前記第３の送信部が、前記アクノレッジメントと、前記初回送信再送要求とを別々のシグネチャシーケンス番号を用いてそれぞれ符号化してシグネチャ多重によって送信する、
請求項５に記載の無線通信システム。
【請求項８】
前記基地局は、
前記復号結果に基づいてアクノレッジメントを生成するＲｘ  ＨＡＲＱ（Ｈｙｂｒｉｄ  Ａｕｔｏｍａｔｉｃ  Ｒｅｐｅａｔ  Ｒｅｑｕｅｓｔ）処理部を有し、
前記アクノレッジメントと、前記初回送信再送要求とを同一のシグネチャシーケンス番号を用いてそれぞれ符号化して時間多重によって送信する、請求項５に記載の無線通信システム。
【請求項９】
移動局と無線通信を行う基地局であって、
第１の物理チャネルを介して前記移動局からの所定のデータを受信する第１の受信部と、
前記データを物理レイヤにおいて復号し、前記復号結果を第２の物理チャネルを介して送信する送信部と、
前記復号結果に基づいて生成された第１の制御情報を第３の物理チャネルを介して受信する第２の受信部と、を有し、
前記送信部は、
前記第１の制御情報から再送回数を特定できない場合に、前記データを初回から再送させるための第２の制御情報を、前記第２の物理チャネルを介して前記移動局に送信する、
基地局。
【請求項１０】
前記第１の物理チャネルは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）であり、
前記第２の物理チャネルは、Ｅ−ＨＩＣＨ（Ｅ−ＤＣＨ  Ｈｙｂｒｉｄ  ＡＲＱ  Ｉｎｄｉｃａｔｏｒ  Ｃｈａｎｎｅｌ）であり、
前記第３の物理チャネルは、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）である、
請求項９記載の基地局。
【請求項１１】
前記第１の制御情報に含まれるＲＳＮ（Ｒｅｔｒａｎｓｍｉｓｓｉｏｎ  Ｓｅｑｕｅｎｃｅ  Ｎｕｍｂｅｒ）＝３であり、自身が圧縮モードで動作しており、かつＴＴＩ（Ｔｒａｎｓｍｉｓｓｉｏｎ  Ｔｉｍｅ  Ｉｎｔｅｒｖａｌ）＝１０ｍｓであるという再送制御条件を満たすか否かを判断する判定部を有し、
前記再送制御条件を満たしている場合に、前記送信部が前記再送制御を行う、請求項１０記載の基地局。
【請求項１２】
前記送信部が、前記再送制御条件を満たしている場合に復号処理を実施せずＡＣＫを送信する、請求項１１に記載の基地局。
【請求項１３】
前記判定部が、前記再送制御条件を満たしている場合に前記送信部に初回送信再送要求を送信させる、請求項１１に記載の基地局。
【請求項１４】
前記復号結果に基づいてアクノリッジメントを生成するＲｘ  ＨＡＲＱ（Ｈｙｂｒｉｄ  Ａｕｔｏｍａｔｉｃ  Ｒｅｐｅａｔ  Ｒｅｑｕｅｓｔ）処理部を有し、
前記送信部が、前記アクノレッジメントと、前記初回送信再送要求とを別々のシグネチャシーケンス番号を用いてそれぞれ符号化してシグネチャ多重によって送信する、請求項１３に記載の基地局。
【請求項１５】
前記復号結果に基づいてアクノリッジメントを生成するＲｘ  ＨＡＲＱ（Ｈｙｂｒｉｄ  Ａｕｔｏｍａｔｉｃ  Ｒｅｐｅａｔ  Ｒｅｑｕｅｓｔ）処理部を有し、
前記送信部が、前記アクノレッジメントと、前記初回送信再送要求とを同一のシグネチャシーケンス番号を用いてそれぞれ符号化して時間多重によって送信する、請求項１３に記載の基地局。
【請求項１６】
基地局と無線通信を行う移動局であって、
第１の物理チャネルを介して、データを送信する第１の送信部と、
第２の物理チャネルを介して、前記データの物理レイヤにおける復号結果を受信する受信部と、
前記復号結果に基づいて第１の制御情報を生成し、第３の物理チャネルを介して前記第１の制御情報を送信する第２の送信部と、を有し、
前記受信部が前記第１の制御情報に対して、前記データを初回から再送させるための第２の制御情報を前記第２の物理チャネルを介して受信した場合に、前記第１の送信部が前記データを初回送信から再度送信する、移動局。
【請求項１７】
前記第１の物理チャネルは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）であり、
前記第２の物理チャネルは、Ｅ−ＨＩＣＨ（Ｅ−ＤＣＨ  Ｈｙｂｒｉｄ  ＡＲＱ  Ｉｎｄｉｃａｔｏｒ  Ｃｈａｎｎｅｌ）であり、
前記第３の物理チャネルは、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）である、
請求項１６に記載の移動局。
【請求項１８】
前記受信部が、同一のシグネチャシーケンス番号を用いてそれぞれ符号化された前記アクノレッジメントおよび初回送信再送要求を別々に同相加算してそれぞれ復号処理することを特徴とする、請求項１６に記載の移動局。
【請求項１９】
移動局と基地局とが無線通信を行う無線通信システムの再送制御方法であって、
前記移動局が、
第１の物理チャネルを介して、データを送信する第１の送信工程と、
前記基地局が、
前記データを受信する第１の受信工程と、
前記データを物理レイヤにおいて復号し、前記復号結果を第２の物理チャネルを介して送信する第２の送信工程と、
前記移動局が、
第２の物理チャネルを介して、復号結果を受信する第２の受信工程と、
前記復号結果に基づいて第１の制御情報を生成し、第３の物理チャネルを介して前記第１の制御情報を送信する第３の送信工程と、
前記基地局が、
前記第１の制御情報を前記第３の物理チャネルを介して受信する第３の受信工程と、
前記第１の制御情報から再送回数を特定できない場合に、前記移動局に前記データを初回から再送させるための第２の制御情報を、前記第２の物理チャネルを介して送信する第４の送信工程と、
前記移動局が、
前記第２の制御情報を、前記第２の物理チャネルを介して受信する第４の受信工程と、
を有することを特徴とする再送制御方法。
【請求項２０】
前記第１の物理チャネルは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）であり、
前記第２の物理チャネルは、Ｅ−ＨＩＣＨ（Ｅ−ＤＣＨ  Ｈｙｂｒｉｄ  ＡＲＱ  Ｉｎｄｉｃａｔｏｒ  Ｃｈａｎｎｅｌ）であり、
前記第３の物理チャネルは、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）である、
請求項１９記載の無線通信システムの再送制御方法。
【請求項２１】
前記基地局は、
前記第１の制御情報に含まれるＲＳＮ（Ｒｅｔｒａｎｓｍｉｓｓｉｏｎ  Ｓｅｑｕｅｎｃｅ  Ｎｕｍｂｅｒ）＝３であり、自身が圧縮モードで動作しており、かつＴＴＩ（Ｔｒａｎｓｍｉｓｓｉｏｎ  Ｔｉｍｅ  Ｉｎｔｅｒｖａｌ）＝１０ｍｓであるという再送制御条件を満たすか否かを判断する判定工程を有し、
前記再送制御条件を満たしている場合に、前記第４の送信工程における前記再送制御を行う、請求項２０記載の無線通信システムの再送制御方法。
【請求項２２】
前記第４の送信工程が、前記再送制御条件を満たしている場合に復号処理を実施せずＡＣＫを送信する、請求項２１に記載の再送制御方法。
【請求項２３】
前記第４の送信工程が、前記再送制御条件を満たしている場合に初回送信再送要求を送信させる、請求項２１に記載の再送制御方法。
【請求項２４】
前記移動局が、前記初回送信再送要求を受信した場合に、前記データを初回送信から再度送信する第５の送信工程を有することを特徴とする、請求項２３に記載の再送制御方法。
【請求項２５】
前記基地局は、
前記データの復号結果に基づいてアクノリッジメントを生成する生成工程を有し、
前記第４の送信工程において、前記アクノレッジメントと、前記初回送信再送要求とを別々のシグネチャシーケンス番号を用いてそれぞれ符号化してシグネチャ多重によって送信することを特徴とする、請求項２３に記載の再送制御方法。
【請求項２６】
前記基地局は、
前記データの復号結果に基づいてアクノレッジメントを生成する生成工程を有し、
前記第４の送信工程において、前記データの復号結果に基づいて生成したアクノレッジメントと、前記初回送信再送要求とを同一のシグネチャシーケンス番号を用いてそれぞれ符号化して時間多重によって送信することを特徴とする、請求項２３に記載の再送制御方法。
【請求項２７】
移動局と基地局とが無線通信を行う無線通信システムにあって、前記基地局を制御するコンピュータに、
第１の物理チャネルを介して前記移動局からの所定のデータを受信する第１の受信処理と、
前記データを物理レイヤにおいて復号し、前記復号結果を第２の物理チャネルを介して送信する第１の送信処理と、
前記復号結果に基づいて生成された第１の制御情報を第３の物理チャネルを介して受信する第２の受信処理と、
前記第１の制御情報から再送回数を特定できない場合に、前記データを初回から再送させるための第２の制御情報を、前記第２の物理チャネルを介して前記移動局に送信する第２の送信処理と、
を実行させることを特徴とする再送制御プログラム。
【請求項２８】
前記第１の物理チャネルは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）であり、
前記第２の物理チャネルは、Ｅ−ＨＩＣＨ（Ｅ−ＤＣＨ  Ｈｙｂｒｉｄ  ＡＲＱ  Ｉｎｄｉｃａｔｏｒ  Ｃｈａｎｎｅｌ）であり、
前記第３の物理チャネルは、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）である、
請求項２７記載の再送制御プログラム。
【請求項２９】
前記第１の制御情報に含まれるＲＳＮ（Ｒｅｔｒａｎｓｍｉｓｓｉｏｎ  Ｓｅｑｕｅｎｃｅ  Ｎｕｍｂｅｒ）＝３であり、自身が圧縮モードで動作しており、かつＴＴＩ（Ｔｒａｎｓｍｉｓｓｉｏｎ  Ｔｉｍｅ  Ｉｎｔｅｒｖａｌ）＝１０ｍｓであるという再送制御条件を満たすか否かを判断する判定処理を実行させ、
前記再送制御条件を満たしている場合に、前記第２の送信処理を実行させる、請求項２８記載の再送制御プログラム。
【請求項３０】
移動局と基地局とが無線通信を行う無線通信システムにあって、前記移動局を制御するコンピュータに、
第１の物理チャネルを介して、データを送信する第１の送信処理と、
第２の物理チャネルを介して、前記データの物理レイヤにおける復号結果を受信する第１の受信処理と、
前記復号結果に基づいて第１の制御情報を生成し、第３の物理チャネルを介して前記第１の制御情報を送信する第２の送信処理と、
前記第１の制御情報に対して、前記データを初回から再送させるための第２の制御情報を、前記第２の物理チャネルを介して受信する第２の受信処理とを有し、
前記第２の制御情報を受信した場合に、前記第１の送信部が前記データを初回送信から再度送信する第３の送信処理と、
を実行させることを特徴とする再送制御プログラム。
【請求項３１】
前記第１の物理チャネルは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）であり、
前記第２の物理チャネルは、Ｅ−ＨＩＣＨ（Ｅ−ＤＣＨ  Ｈｙｂｒｉｄ  ＡＲＱ  Ｉｎｄｉｃａｔｏｒ  Ｃｈａｎｎｅｌ）であり、
前記第３の物理チャネルは、Ｅ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）である、
請求項３０記載の再送制御プログラム。
【発明の詳細な説明】
【技術分野】
【０００１】
本発明は、移動通信システムに関し、特に該システムにおける復号及び再送制御方法に関する。
【背景技術】
【０００２】
近年、上り回線の高速パケットデータ伝送方法として、ＨＳＵＰＡ（Ｈｉｇｈ  Ｓｐｅｅｄ  ＵｐＬｉｎｋ  Ｐａｃｋｅｔ  Ａｃｃｅｓｓ）が規格化され、Ｗ−ＣＤＭＡ（Ｗｉｄｅ  ｂａｎｄ  −  Ｃｏｄｅ  Ｄｉｖｉｓｉｏｎ  Ｍｕｌｔｉｐｌｅ  Ａｃｃｅｓｓ）システムへの適用が検討されつつある。ＨＳＵＰＡではＨＡＲＱ（Ｈｙｂｒｉｄ  Ａｕｔｏｍａｔｉｃ  Ｒｅｐｅａｔ  Ｒｅｑｕｅｓｔ）が採用され、高速な再送制御による低遅延、高スループットが可能となっている。ＨＡＲＱとは、ＡＲＱ（Ａｕｔｏｍａｔｉｃ  Ｒｅｐｅａｔ  Ｒｅｑｕｅｓｔ）と誤り訂正符号を組み合わせることにより再送時に誤り訂正能力を向上させる技術である。そして、ＨＡＲＱは、復号失敗データと再送データを合成して復号処理を行う。
ＨＳＵＰＡにおけるトランスポートチャネルであるＥ−ＤＣＨ（Ｅｎｈａｎｃｅｄ  Ｄｅｄｉｃａｔｅｄ  Ｃｈａｎｎｅｌ）がマッピングされる物理チャネルは、Ｅ−ＤＰＤＣＨ（Ｅｎｈａｎｃｅｄ  Ｄｅｄｉｃａｔｅｄ  Ｐｈｙｓｉｃａｌ  Ｄａｔａ  Ｃｈａｎｎｅｌ）である。Ｅ−ＤＰＤＣＨは、物理レイヤの制御情報を伝送するための制御チャネルであるＥ−ＤＰＣＣＨ（Ｅｎｈａｎｃｅｄ  Ｄｅｄｉｃａｔｅｄ  Ｐｈｙｓｉｃａｌ  Ｃｏｎｔｒｏｌ  Ｃｈａｎｎｅｌ）と共に使用される。そして、Ｅ−ＤＣＨ  ＴＴＩ（Ｔｒａｎｓｍｉｓｓｉｏｎ  Ｔｉｍｅ  Ｉｎｔｅｒｖａｌ）として、２ｍｓと１０ｍｓの２通りが規定されている。
ＨＡＲＱに必要な再送回数を示す情報であるＲＳＮ（Ｒｅｔｒａｎｓｍｉｓｓｉｏｎ  Ｓｅｑｕｅｎｃｅ  Ｎｕｍｂｅｒ）は、Ｅ−ＤＰＣＣＨ上で伝送される。ＲＳＮは２ビットで構成され、０から２までは再送回数を表し、３は再送回数が３回以上であることを示す。つまり、ＲＳＮが０、１、２のうちのいずれかであれば、再送回数を特定することはできる。しかし、ＲＳＮが３だと実際の再送回数を特定することはできない。
また、アクノレッジメント（Ａｃｋｎｏｗｌｅｄｇｅｍｅｎｔ）情報は、Ｅ−ＨＩＣＨ（Ｅ−ＤＣＨ  Ｈｙｂｒｉｄ  ＡＲＱ  Ｉｎｄｉｃａｔｏｒ  Ｃｈａｎｎｅｌ）を用いてシグネチャ（Ｓｉｇｎａｔｕｒｅ）多重されて送信される。ＴＴＩが１０ｍｓの場合、２ｍｓ毎（サブフレーム毎）に同アクノレッジメント情報が合計５回、Ｅ−ＨＩＣＨ上で送信される。
一方、同じ通信システム同士、または異なる通信システム間において、異なる周波数のキャリアでハンドオーバーを行う場合、移動局は、通信中に、他の周波数の信号を受信する。そして、移動局では、通信する基地局を遷移するために必要な信号レベルの測定、必要な制御情報の受信が行われる必要がある。
Ｗ−ＣＤＭＡシステムは、通常モードでの送信情報を時間圧縮することにより短時間で伝送し、無伝送時間（ギャップ；ＧＡＰ）を作る。そして、Ｗ−ＣＤＭＡシステムは、無伝送時間（ギャップ；ＧＡＰ）を使って他の周波数キャリアを観測する、という圧縮モード（Ｃｏｍｐｒｅｓｓｅｄ  Ｍｏｄｅ）を有する。Ｗ−ＣＤＭＡシステムは、圧縮モード（Ｃｏｍｐｒｅｓｓｅｄ  Ｍｏｄｅ）を使用し、自局の属するセル及び隣接セルの基地局からの情報をモニタする。
図１は、圧縮モード起動中におけるＴＴＩ＝１０ｍｓのＥ−ＤＰＤＣＨの再送データの送信の様子を示す概念図である。図１の中に記載された数字“０、１、２…”は、データを送信したタイムスロットに付与された通し番号である。ＨＳＵＰＡにおいて、圧縮モードが起動中でかつギャップと重複する区間においては、ＴＴＩが２ｍｓの場合、移動局はデータ送信をしてはならない。ＴＴＩが１０ｍｓの場合、初回送信時においてギャップと重複する場合、図１（ａ）に示すように移動局はギャップと重複していないタイムスロットを使用して送信を行う。
また、再送時において、移動局は、図１（ｂ）、（ｃ）及び（ｄ）に示すように現在の送信区間においてギャップと重複していないタイムスロットを使用して送信する。初回送信時よりも送信可能なタイムスロット数が多い場合は図１（ｃ）及び（ｄ）に示すように余剰タイムスロットをＤＴＸ（Ｄｉｓｃｏｎｔｉｎｕｏｕｓ  Ｔｒａｎｓｍｉｓｓｉｏｎ）とする。また、少ない場合は図１（ｂ）に示すように不足タイムスロット分のデータは送信しない。
以上に関連する技術文献について説明する。次の（１）〜（４）は、以上で説明したＥ−ＤＰＤＣＨのデータ再送に係る従来の規格である。
（１）３ＧＰＰ  ＴＳ２５．２１４  Ｖ６．１１．０（２００６−１２）
（２）３ＧＰＰ  ＴＳ２５．２１４  Ｖ７．７．０（２００７−１１）
（３）３ＧＰＰ  ＴＳ２５．２１２  Ｖ６．１０．０（２００６−１２）
（４）３ＧＰＰ  ＴＳ２５．２１２  Ｖ７．７．０（２００７−１１）
また、特開２００４−０３２６４０号公報には、ハンドオーバー時に再総回数を低減させる技術の一例が記載されている。特開２００６−１９１３１２号公報には、圧縮モード起動中にパケットロスを検出して再送などの処理を行う技術の一例が記載されている。特開２００６−２２２４９４号公報には、再送制御を発生させるためにダミーのＡＣＫを送信するという技術の一例が記載されている。
特開２００６−２４５８３８号公報には、移動局への情報をシグネチャ多重して送信する技術の一例が記載されている。特開２００７−０８２１９２号公報には、Ｅ−ＤＣＨでＴＴＩ＝１０ｍｓの場合にパケットを再送させる技術の一例が記載されている。特開２００７−１２９６７３号公報には、パケットが正常に複合化されない場合に欠落パケットを再送させる技術の一例が記載されている。特許第３９１３２５９号公報には、複数のデータを独立したチャネル上で専用のシグネチャ番号を利用して送信する技術の一例が記載されている。
【発明の開示】
【０００３】
基地局において、連続でＥ−ＤＰＣＣＨが検出できなかった場合やＲＳＮの復号に失敗した場合、あるいはハンドオーバーによって無線リンクが追加された直後において、ＲＳＮ＝３のＥ−ＤＰＣＣＨ／Ｅ−ＤＰＤＣＨから受信を開始する場合がある。
この場合、前述の（１）〜（４）に示した技術では、基地局は再送回数を特定することができない。そのため、もし圧縮モードが起動中で、且つＴＴＩが１０ｍｓだった場合には、初回送信におけるギャップパターンを特定することができないので、復号処理を実施することができない。
そのような場合、移動局は、上位から指定された最大再送回数まで無駄な再送を続ける。そして、当該データだけでなく他のデータの遅延も増大し、且つ当該データについては、上位レイヤからの再送を待つことになる。そのため、更なる遅延の増大、及びスループットの低下を招くことになる。
初回送信時のギャップパターンを仮定して復号処理を実施する方法もある。しかし、固定的にギャップパターンを仮定する方法では、仮定が間違っている場合には問題を解決できない。また、動的にギャップパターンを仮定する方法では、復号失敗データと再送データを合成することができない。その結果、誤り訂正能力が著しく低下してしまうため、再送回数の増大による遅延の増大、及びスループットの低下は避けられない。
ちなみに、前述の特開２００４−０３２６４０号公報、特開２００６−１９１３１２号公報、特開２００６−２２２４９４号公報、特開２００６−２４５８３８号公報、特開２００７−０８２１９２号公報、特開２００７−１２９６７３号公報、及び特許第３９１３２５９号公報の技術は、パケットロスの検出やデータ再送などについて具体的な方法を示している。しかしながら、上記で示したＨＳＵＰＡにおいて特有な問題点に対する言及はない。更に、この問題の発生を判断して、データを再送させる具体的な解決方法を提示するものではない。
本発明の目的は、再送回数が特定できなくなる条件に対して、データを早急に再送させることのできる通信システム、基地局、移動局、再送制御方法およびプログラムを提供することにある。
上記目的を達成するため、本発明に係る無線通信システムは、移動局と基地局とが無線通信を行う無線通信システムであって、移動局が、第１の物理チャネルを介して、データを送信する第１の送信部と、基地局から第２の物理チャネルを介して、復号結果を受信する第１の受信部と、復号結果に基づいて第１の制御情報を生成し、第３の物理チャネルを介して第１の制御情報を送信する第２の送信部とを有し、基地局が、データを受信する第２の受信部と、データを物理レイヤにおいて復号し、復号結果を第２の物理チャネルを介して送信する第３の送信部と、第１の制御情報を第３の物理チャネルを介して受信する第３の受信部と、第１の制御情報から再送回数を特定できない場合に、データを初回から再送させるための第２の制御情報を、第２の物理チャネルを介して移動局に送信する第４の送信部と、を有する。
また、上記目的を達成するため、本発明に係る基地局は、移動局と無線通信を行う基地局であって、第１の物理チャネルを介して移動局からの所定のデータを受信する第１の受信部と、データを物理レイヤにおいて復号し、復号結果を第２の物理チャネルを介して送信する第１の送信部と、復号結果に基づいて生成された第１の制御情報を第３の物理チャネルを介して受信する第２の受信部と、第１の制御情報から再送回数を特定できない場合に、データを初回から再送させるための第２の制御情報を、第２の物理チャネルを介して移動局に送信する第２の送信部と、を有する。
また、上記目的を達成するため、本発明に係る移動局は、基地局と無線通信を行う移動局であって、第１の物理チャネルを介して、データを送信する第１の送信部と、第２の物理チャネルを介して、データの物理レイヤにおける復号結果を受信する第１の受信部と、復号結果に基づいて第１の制御情報を生成し、第３の物理チャネルを介して第１の制御情報を送信する第２の送信部と、第１の制御情報に対して、データを初回から再送させるための第２の制御情報を、第２の物理チャネルを介して受信する第２の受信部とを有し、第２の制御情報を受信した場合に、第２の送信部がデータを初回送信から再度送信する。
また、上記目的を達成するため、本発明に係る再送制御方法は、移動局と基地局とが無線通信を行う無線通信システムの再送制御方法であって、移動局が、第１の物理チャネルを介して、データを送信する第１の送信工程と、基地局が、データを受信する第１の受信工程と、データを物理レイヤにおいて復号し、復号結果を第２の物理チャネルを介して送信する第２の送信工程と、移動局が、第２の物理チャネルを介して、復号結果を受信する第２の受信工程と、復号結果に基づいて第１の制御情報を生成し、第３の物理チャネルを介して第１の制御情報を送信する第３の送信工程と、基地局が、第１の制御情報を第３の物理チャネルを介して受信する第３の受信工程と、第１の制御情報から再送回数を特定できない場合に、移動局にデータを初回から再送させるための第２の制御情報を、第２の物理チャネルを介して送信する第４の送信工程と、移動局が、第２の制御情報を、第２の物理チャネルを介して受信する第４の受信工程とを有する。
また、上記目的を達成するため、本発明に係る再送制御プログラムは、移動局と基地局とが無線通信を行う無線通信システムにあって、基地局を制御するコンピュータに、第１の物理チャネルを介して移動局からの所定のデータを受信する第１の受信処理と、データを物理レイヤにおいて復号し、復号結果を第２の物理チャネルを介して送信する第１の送信処理と、復号結果に基づいて生成された第１の制御情報を第３の物理チャネルを介して受信する第２の受信処理と、第１の制御情報から再送回数を特定できない場合に、データを初回から再送させるための第２の制御情報を、第２の物理チャネルを介して移動局に送信する第２の送信処理と、を実行させる。
また、上記目的を達成するため、本発明に係る別の再送制御プログラムは、移動局と基地局とが無線通信を行う無線通信システムにあって、移動局を制御するコンピュータに、第１の物理チャネルを介して、データを送信する第１の送信処理と、第２の物理チャネルを介して、データの物理レイヤにおける復号結果を受信する第１の受信処理と、復号結果に基づいて第１の制御情報を生成し、第３の物理チャネルを介して第１の制御情報を送信する第２の送信処理と、第１の制御情報に対して、データを初回から再送させるための第２の制御情報を、第２の物理チャネルを介して受信する第２の受信処理とを有し、第２の制御情報を受信した場合に、第２の送信部がデータを初回送信から再度送信する第３の処理と、を実行させる。
本発明は、特定の条件を満たした場合に移動局に初回から再送させるように構成したので、無駄な再送を打ち切って初回からデータ送信をやり直させることができる。これによって、再送回数が特定できなくなる条件に対してデータを早急に再送させることのできるという、従来にない優れた通信システム、基地局、移動局、再送制御方法およびプログラムを提供することができる。
【図面の簡単な説明】
【０００４】
【図１】圧縮モード起動中におけるＴＴＩ＝１０ｍｓのＥ−ＤＰＤＣＨの再送データの送信の様子を示す概念図である。
【図２】本発明の第１の実施の形態に係る無線通信システムの構成を示す機能ブロック図である。
【図３】図２で示した無線通信システムで、移動局から基地局に通信する際に行われる処理を表すフローチャートである。
【図４】本発明の第２および第３の実施の形態に係る無線通信システムの構成を示す機能ブロック図である。
【図５】図４で示した無線通信システムで、移動局から基地局に通信する際に行われる処理を表すフローチャートである。
【図６】本発明の第３の実施の形態で、ＴＴＩ＝１０ｍｓである場合のＥ−ＨＩＣＨの時間多重マッピングパターン例を示す表である。
【図７】本発明の第１の実施の形態に係る無線通信システムの主要な機能構成を示すブロック図である。
【発明を実施するための最良の形態】
【０００５】
［第１の実施の形態］
図７は、第１の実施の形態の主要な機能構成を示すブロック図である。
無線通信システム１０ａは、移動局１０１ａと基地局２０１ａとが無線通信を行うものである。移動局１０１ａは、第１の送信部１０４ａ、第２の送信部１０３ａ、及び第１の受信部１０５ａを備える。また基地局２０１ａは、第２の受信部２０４ａ、第３の受信部２０３ａ、及び第３の送信部２０５ａを備える。
そして、第１の物理チャネルを介して、データが、第１の送信部１０４ａから第２の受信部２０４ａへ送られる。また、第２の物理チャネルを介して、第１の制御情報が、第３の送信部２０５ａから第１の受信部１０５ａへ送られる。また、第３の物理チャネルを介して、第２の制御情報が、第２の送信部１０３ａから第３の受信部２０３ａへ送られる。
ここで、移動局１０１ａは、復号結果に基づいて第１の制御情報を生成する。また、基地局２０１ａは、データを物理レイヤにおいて復号し、第１の制御情報を受信し、第１の制御情報から再送回数を特定できない場合に、データを初回から再送させるための第２の制御情報を、移動局に送信する。
このように、本実施の形態によれば、再送回数が特定できなくなる条件に対して、データを早急に再送させることのできる無線通信システムを提供することができる。
図２は、本発明の第１の実施の形態に係る無線通信システム１０の詳細な構成を示す機能ブロック図である。なお、図２の１０１、１０３、１０４、１０５、２０１、２０３、２０４、及び２０５は、それぞれ、図１の１０１ａ、１０３ａ、１０４ａ、１０５ａ、２０１ａ、２０３ａ、２０４ａ、及び２０５ａに対応する。
無線通信システム１０は、移動局１０１と基地局２０１とがＨＳＵＰＡで無線通信を行うものである。移動局１０１は、Ｔｘ  ＨＡＲＱ処理部１０２、Ｅ−ＤＰＣＣＨ送信処理部１０３、Ｅ−ＤＰＤＣＨ送信処理部１０４、およびＥ−ＨＩＣＨ受信処理部１０５を備える。（ここで、Ｔｘとは、送信装置（Ｔｒａｎｓｍｉｔｔｅｒ）を表わしており、以下同様とする。）
Ｔｘ  ＨＡＲＱ処理部１０２は、Ｅ−ＨＩＣＨ受信処理部１０５からのアクノレッジメントを受けて制御情報を生成してＥ−ＤＰＣＣＨ送信処理部１０３に送り、また、通信データを生成してＥ−ＤＰＤＣＨ送信処理部１０４に送る。Ｅ−ＤＰＣＣＨ送信処理部１０３は、Ｔｘ  ＨＡＲＱ処理部１０２から受けた制御情報を、Ｅ−ＤＰＣＣＨを介して基地局２０１宛に送信する。Ｅ−ＤＰＤＣＨ送信処理部１０４は、Ｔｘ  ＨＡＲＱ処理部１０２から受けたデータを、Ｅ−ＤＰＤＣＨを介して基地局２０１宛に送信する。Ｅ−ＨＩＣＨ受信処理部１０５は、基地局２０１から受けたＥ−ＨＩＣＨからアクノレッジメントを抽出して、Ｔｘ  ＨＡＲＱ処理部１０２に送る。
一方、基地局２０１は、Ｒｘ  ＨＡＲＱ処理部２０２、Ｅ−ＤＰＣＣＨ受信処理部２０３、Ｅ−ＤＰＤＣＨ受信処理部２０４、Ｅ−ＨＩＣＨ送信処理部２０５、再送回数判定部２０６、圧縮モード起動判定部２０７、移動局情報管理部２０８、および復号可否判定部２０９を備える。（ここで、Ｒｘとは、受信装置（Ｒｅｃｅｉｖｅｒ）を表わしており、以下同様とする。）
Ｒｘ  ＨＡＲＱ処理部２０２は、他の各要素からアクノレッジメントを生成して、Ｅ−ＨＩＣＨ送信処理部２０５に送る（詳細は後述する）。Ｅ−ＤＰＣＣＨ受信処理部２０３は、移動局１０１から受けたＥ−ＤＰＣＣＨから制御情報を生成して、Ｒｘ  ＨＡＲＱ処理部２０２に送る。Ｅ−ＤＰＤＣＨ受信処理部２０４は、移動局１０１から受けたＥ−ＤＰＤＣＨからデータを、復号してＲｘ  ＨＡＲＱ処理部２０２に送る。Ｅ−ＨＩＣＨ送信処理部２０５は、Ｒｘ  ＨＡＲＱ処理部２０２から受けたアクノレッジメントを、Ｅ−ＨＩＣＨを介して移動局１０１に送る。
再送回数判定部２０６は、Ｒｘ  ＨＡＲＱ処理部２０２から再送回数ＲＳＮを通知され、ＲＳＮ＝３である場合に不定情報を、復号可否判定部２０９に通知する。圧縮モード起動判定部２０７は、基地局２０１が圧縮モードで起動中であれば、復号可否判定部２０９に圧縮モード起動情報を通知する。移動局情報管理部２０８は、基地局２０１が動作しているＥ−ＤＣＨ  ＴＴＩを復号可否判定部２０９に通知する。復号可否判定部２０９は、後述の条件を満たす場合にダミーＡＣＫ送信要求を、Ｒｘ  ＨＡＲＱ処理部２０２に対して出力する（これについても詳細は後述する）。
なお、移動局１０１および基地局２０１は、各々コンピュータで制御されるものとし、以上で述べた各機能部、および以下で述べるフローチャートの動作を該コンピュータによって実行されるプログラムとして構成するものとしてもよい。
図３は、図２で示した無線通信システム１０で移動局１０１から基地局２０１に通信する際に行われる処理を表すフローチャートである。まず、移動局１０１で、Ｔｘ  ＨＡＲＱ処理部１０２からの制御情報とデータが各々Ｅ−ＤＰＣＣＨ送信処理部１０３とＥ−ＤＰＤＣＨ送信処理部１０４で符号化され、Ｅ−ＤＰＣＣＨ及びＥ−ＤＰＤＣＨを介して基地局２０１に送信される（ステップＳ３０１）。
Ｅ−ＤＰＣＣＨを受けた基地局２０１では、Ｅ−ＤＰＣＣＨ受信処理部２０３が該Ｅ−ＤＰＣＣＨを復号処理し（ステップＳ３０２）、復号によって得られた制御情報の中からＲＳＮを抽出してＲｘ  ＨＡＲＱ処理部２０２に渡す。Ｒｘ  ＨＡＲＱ処理部２０２は、渡されたＲＳＮから再送回数を特定して再送回数判定部２０６に渡す。前述のように、ＲＳＮ＝３であれば再送回数を特定できないので、再送回数判定部２０６は、ＲＳＮ＝３であれば不定情報を復号可否判定部２０９に通知する（ステップＳ３０３）。
復号可否判定部２０９は、再送回数判定部２０６からの不定情報、圧縮モード起動判定部２０７からの圧縮モード起動情報、及び移動局情報管理部２０８からのＥ−ＤＣＨ  ＴＴＩを確認する。そして、復号可否判定部２０９は、「再送回数が不定であるか否か」（ステップＳ３０４）、「圧縮モード起動中であるか否か」（ステップＳ３０５）、「Ｅ−ＤＣＨ  ＴＴＩ＝１０ｍｓであるか否か」（ステップＳ３０６）を続けて判断する。ステップＳ３０４〜３０６が全てＹＥＳであればステップＳ３０７に進み、１つでもＮＯであればステップＳ３０９に進む。
ステップＳ３０４〜３０６の判断でステップＳ３０７に進んだ場合、復号可否判定部２０９は、Ｒｘ  ＨＡＲＱ処理部２０２に対してダミーＡＣＫ送信要求を行う（ステップＳ３０７）。ダミーＡＣＫ送信要求を受けたＲｘ  ＨＡＲＱ処理部２０２は、Ｅ−ＤＰＤＣＨの復号処理を行わずに、ＨＡＲＱプロセスを初期化し、Ｅ−ＨＩＣＨ送信処理部２０５に対してアクノレッジメントとしてダミーＡＣＫを通知する（ステップＳ３０８）。そして次に、ステップＳ３１０の処理に進む。
なお、前述のダミーＡＣＫについて説明する。通常のＡＣＫは、本来、正常に復号処理されて通信が終了した場合に送られるものである。一方、ダミーＡＣＫは、復号処理できないデータの再送処理を破棄して新規送信させるために送信されるＡＣＫという意味である。そして、移動局１０１に通知されるダミーＡＣＫ自体は、通常のＡＣＫと同一である。
ステップＳ３０４〜３０６の判断でステップＳ３０９に進んだ場合、Ｒｘ  ＨＡＲＱ処理部２０２は、Ｅ−ＤＰＤＣＨの復号処理を行う。そして、Ｒｘ  ＨＡＲＱ処理部２０２は、アクノレッジメントとして復号結果（ＡＣＫ／ＮＡＣＫ／ＤＴＸ）をＥ−ＨＩＣＨ送信処理部２０５に対して通知して（ステップＳ３０９）、ステップＳ３１０の処理に進む。
Ｅ−ＨＩＣＨ送信処理部２０５は、ステップＳ３０８または３０９で通知されたアクノレッジメントを含めてＥ−ＨＩＣＨを符号化して移動局１０１に対して送信する（ステップＳ３１０）。移動局１０１は、Ｅ−ＨＩＣＨをＥ−ＨＩＣＨ受信処理部１０５にて復号処理し、復号化されたアクノレッジメントをＴｘ  ＨＡＲＱ処理部１０２に通知する（ステップＳ３１１）。
Ｔｘ  ＨＡＲＱ処理部１０２は、通知されたアクノレッジメントがＮＡＣＫ／ＤＴＸであれば基地局２０１にデータ再送を行い、ＡＣＫであればＨＡＲＱプロセスを初期化して、新規データがあれば基地局２０１に新規送信する（ステップＳ３１２）。
ダミーＡＣＫを通知し、復号処理されなかったデータは、事実上破棄されたことになるが、破棄された該データは、上位レイヤ（図示せず）で初回から再送される。それによりＴｘ  ＨＡＲＱ処理部１０２から再送されたデータが制御情報とともにＥ−ＤＰＣＣＨ送信処理部１０３とＥ−ＤＰＤＣＨ送信処理部１０４でそれぞれ符号化されて、Ｅ−ＤＰＣＣＨ及びＥ−ＤＰＤＣＨとして送信される（ステップＳ３１３）。
このように、本実施の形態によれば、ステップＳ３０８で示したダミーＡＣＫの送信によって、新規データの送信を促し、スループットの低下を抑制できる。前述のようにダミーＡＣＫは通常のＡＣＫと特に変わる部分はないので、移動局は通常のＡＣＫに対する反応ができればよい。従って、移動局の側に本実施の形態に対応する構造を特に備える必要がないという利点がある。
［第２の実施の形態］
図４は、本発明の第２の実施の形態に係る無線通信システム１０ｂの構成を示す機能ブロック図である。図５は、図４で示した無線通信システム１０ｂで移動局１０１ｂから基地局２０１ｂに通信する際に行われる処理を表すフローチャートである。無線通信システム１０ｂは、移動局１０１ｂと基地局２０１ｂとが無線通信を行うものである。移動局１０１ｂおよび基地局２０１ｂは、第１の実施の形態と同一の名称の要素で構成されるので、個々の説明は省略する。ただし、各々の処理の内容と流れが第１の実施の形態とは一部異なるので、以下その点について説明する。
図５のフローチャートで最初のステップＳ４０１〜４０３は、図３のステップＳ３０１〜３０３と同一である。復号可否判定部２０９ｂは、再送回数判定部２０６からの不定情報、圧縮モード起動判定部２０７からの圧縮モード起動情報、及び移動局情報管理部２０８からのＥ−ＤＣＨ  ＴＴＩを確認する。そして、復号可否判定部２０９ｂは、「再送回数が不定であるか否か」（ステップＳ４０４）、「圧縮モード起動中であるか否か」（ステップＳ４０５）、「Ｅ−ＤＣＨ  ＴＴＩ＝１０ｍｓであるか否か」（ステップＳ４０６）を続けて判断する。ステップＳ４０４〜４０６が全てＹＥＳであればステップＳ４０７に進み、１つでもＮＯであればステップＳ４０８に進む。
ステップＳ４０４〜４０６の判断でステップＳ４０７に進んだ場合、復号可否判定部２０９ｂは、Ｅ−ＨＩＣＨ送信処理部２０５に対して初回再送要求を行う（ステップＳ４０７）。Ｅ−ＨＩＣＨ送信処理部２０５は、Ｒｘ  ＨＡＲＱ処理部２０２からのアクノレッジメントと、復号可否判定部２０９ｂからの初回再送要求を別々のシグネチャシーケンス番号を用いてそれぞれ符号化して、シグネチャ多重により送信する（ステップＳ４０８）。なお、図４および図５では、シグネチャ多重によって送信されることを示すために、便宜上Ｅ−ＨＩＣＨとして送信している図としている。
移動局１０１ｂでは、受信したＥ−ＨＩＣＨをＥ−ＨＩＣＨ受信処理部１０５ｂにて復号処理し、復号処理によって得られたアクノレッジメントおよび初回再送要求をＴｘ  ＨＡＲＱ処理部１０２ｂに通知する（ステップＳ４０９）。Ｔｘ  ＨＡＲＱ処理部１０２ｂは、通知されたアクノレッジメントがＡＣＫであるか否かを判断する（ステップＳ４１０）。Ｔｘ  ＨＡＲＱ処理部１０２ｂは、判断の結果がＡＣＫである場合には、当該ＨＡＲＱプロセスを初期化し、新規データがあれば新規送信を行う（ステップＳ４１１）。ステップＳ４１０で通知されたアクノレッジメントがＮＡＣＫもしくはＤＴＸであった場合には、ステップＳ４１２に進む。
ステップＳ４１０の判断でステップＳ４１２に進んだ場合、Ｔｘ  ＨＡＲＱ処理部１０２ｂは、初回再送要求がＤＴＸであるか否かを判断し（ステップＳ４１２）、ＤＴＸである場合には当該ＨＡＲＱプロセスによりデータを再送する（ステップＳ４１３）。一方、初回再送要求がＤＴＸではない場合には、当該ＨＡＲＱプロセスを初回送信から再度送信する（ステップＳ４１４）。
第１の実施の形態では「ダミーＡＣＫ」によって、復号処理できないデータの再送処理を破棄して新規送信させていた。それに対して第２の実施の形態では、「初回再送要求」によって、復号不可能なデータを直ちに新規データとして再送させている。これによって、第２の実施の形態では、図３のステップＳ３１３にあったような上位レイヤからの再送を待つ必要がなくなるので、遅延をさらに小さく食い止めることができる。
［第３の実施の形態］
本発明の第３の実施の形態に係る無線通信システムの構成は、図４で説明した第２の実施の形態に係る無線通信システム１０ｂの構成と同一である。また、該無線通信システムが実行する処理の概略も、図５で示したフローチャートと同一である。本発明の第３の実施の形態と第２の実施の形態との相違点は、図５で示したステップＳ４０８〜４０９の動作の詳細のみである。
第２の実施の形態のステップＳ４０８では、Ｅ−ＨＩＣＨ送信処理部２０５は、Ｒｘ  ＨＡＲＱ処理部２０２からのアクノレッジメントと、復号可否判定部２０９ｂからの初回再送要求を別々のシグネチャシーケンス番号を用いてそれぞれ符号化して、シグネチャ多重により送信していた。それに対して第３の実施の形態では、Ｅ−ＨＩＣＨ送信処理部２０５は、Ｒｘ  ＨＡＲＱ処理部２０２からのアクノレッジメントと、復号可否判定部２０９ｂからの初回再送要求を同一のシグネチャシーケンス番号を用いてそれぞれ符号化して、時間多重により送信する。
図６は、ＴＴＩ＝１０ｍｓである場合のＥ−ＨＩＣＨの時間多重マッピングパターン例を示す表である。１０ｍｓ当たりの最大ＧＡＰ長は７Ｔｉｍｅ  Ｓｌｏｔであるため、図６に示したパターン１もしくはパターン２のいずれかのマッピングであれば、どのようなギャップパターンに対しても、情報要素ＡおよびＢとして示す２つの情報要素を必ず含めて送信することができる。この情報要素ＡおよびＢに、アクノレッジメントおよび初回再送要求を含めるとよい。
移動局１０１ｂでは、受信したＥ−ＨＩＣＨを、Ｅ−ＨＩＣＨ受信処理部１０５ｂにて指定されたパターンに応じて情報要素Ａ／Ｂを別々に同相加算する。そして、それぞれ復号処理し、復号処理によって得られたアクノレッジメントおよび初回再送要求をＴｘ  ＨＡＲＱ処理部１０２ｂに通知する（ステップＳ４０９）。
この第３の実施の形態によっても、「初回再送要求」によって、復号不可能なデータを直ちに新規データとして再送させることができるので、第２の実施の形態と同一の効果を得ることができる。
以上の実施形態では、上りの通信システムを例として説明したが、本発明はこれに限定されない。例えば、上りの通信システムにおける「再送回数を特定できない場合」を「復号に必要な情報を特定できない場合」に変更することによって、汎用性を高めて、下りシステムにも適用できる。
これまで本発明について図面に示した特定の実施の形態をもって説明してきたが、本発明は図面に示した実施の形態に限定されるものではなく、本発明の効果を奏する限り、これまで知られたいかなる構成であっても採用することができることは言うまでもないことである。
この出願は、２００８年３月１７日に出願された日本出願特願２００８−０６８４０６を基礎とする優先権を主張し、その開示の全てをここに取り込む。
【図１】
2009116474.tif 000003
【図２】
2009116474.tif 000004
【図３】
2009116474.tif 000005
【図４】
2009116474.tif 000006
【図５】
2009116474.tif 000007
【図６】
2009116474.tif 000008
【図７】
2009116474.tif 000009
【国際調査報告】
2009116474.tif 000010
2009116474.tif 000011